(57)【要約】 【課題】基板のレイアウトの自由度の向上を図ることができるテレビジョン受像機を提供する。【解決手段】一つの形態に係るテレビジョン受像機は、筐体と、前記筐体に収容された表示装置と、前記筐体の端部の中央に対して該端部の長手方向にずれた位置に設けられたカメラとを備える。【選択図】図３
2012257162.tif 000002
【特許請求の範囲】
【請求項１】
筐体と、
前記筐体に収容された表示装置と、
前記筐体の下端部に収容された基板と、
前記筐体の下端部の中央に対して略水平方向にずれた位置に設けられ、撮像方向を上向きに傾けて実装されたカメラと、
を備えたテレビジョン受像機。
【請求項２】
請求項１の記載において、
前記カメラよりも前記基板は、前記筐体の下端部の中央近くに位置したテレビジョン受像機。
【請求項３】
請求項１または請求項２の記載において、
前記カメラが取り付けられたカメラ用基板と、
前記筐体の内面から突出し、前記カメラ用基板の上端部を支持した第１の係合部と、
前記筐体の内面から突出し、前記カメラ用基板の下端部を支持した第２の係合部と、
をさらに備えたテレビジョン受像機。
【請求項４】
請求項３の記載において、
前記第１の係合部は、前記筐体の内面とは反対側から前記カメラ用基板の上端部に当接した第１の当接部を有し、前記第２の係合部は、前記筐体の内面とは反対側から前記カメラ用基板の下端部に当接した第２の当接部を有し、前記第１の係合部及び前記第２の係合部は、それぞれ弾性変形可能であり、
前記第１の当接部と前記筐体の内面との間の距離は、前記第２の当接部と前記筐体の内面との間の距離よりも大きいテレビジョン受像機。
【請求項５】
請求項１または請求項４の記載において、
前記筐体は、開口部が設けられ、
前記カメラの少なくとも一部は、前記開口部に挿入され、前記筐体の内面よりも外側に位置したテレビジョン受像機。
【請求項６】
請求項５の記載において、
前記筐体の肉厚よりも薄く、前記開口部を覆うシートをさらに備えたテレビジョン受像機。
【請求項７】
請求項６の記載において、
前記シートは、前記カメラに対応した部分に光透過性を有するとともに、前記カメラに対応していない部分に遮光性を有したテレビジョン受像機。
【請求項８】
請求項６または請求項７の記載において、
前記シートは、透明であるとともに、前記カメラに対応した部分を除いて遮光性の印刷を有したテレビジョン受像機。
【請求項９】
筐体と、
前記筐体に収容された表示装置と、
前記筐体の端部の中央に対して該端部の長手方向にずれた位置に設けられたカメラと、
を備えたテレビジョン受像機。
【請求項１０】
筐体と、
前記筐体に収容された表示装置と、
前記筐体の端部に設けられ、撮像方向を該筐体の中央側に傾けて実装されたカメラと、
を備えたテレビジョン受像機。
【発明の詳細な説明】
【技術分野】
【０００１】
本発明の実施形態は、カメラを有したテレビジョン受像機に関する。
【背景技術】
【０００２】
カメラを有した携帯機器が提供されている。
【先行技術文献】
【特許文献】
【０００３】
【特許文献１】特開２００２−３７４４３４号公報
【発明の概要】
【発明が解決しようとする課題】
【０００４】
テレビジョン受像機は、筐体内の基板のレイアウトの自由度の向上を図ることができると好ましい。
【０００５】
本発明の目的は、基板のレイアウトの自由度の向上を図ることができるテレビジョン受像機を提供することである。
【課題を解決するための手段】
【０００６】
実施形態によれば、テレビジョン受像機は、筐体と、前記筐体に収容された表示装置と、前記筐体の端部の中央に対して該端部の長手方向にずれた位置に設けられたカメラとを備える。
【図面の簡単な説明】
【０００７】
【図１】一つの実施形態に係るテレビジョン受像機の正面図。
【図２】図１中に示されたカメラモジュールを示す背面図。
【図３】図２中に示された筐体とカメラモジュールのＦ３−Ｆ３線に沿う断面図。
【図４】図２中に示された筐体とカメラモジュールのＦ４−Ｆ４線に沿う断面図。
【図５】図２中に示された筐体とカメラモジュールのＦ５−Ｆ５線に沿う断面図。
【図６】図２中に示された筐体とカメラモジュールのＦ６−Ｆ６線に沿う断面図。
【図７】上記実施形態と関連したカメラモジュールを示す断面図。
【発明を実施するための形態】
【０００８】
以下、実施の形態について、図面を参照して説明する。  
図１乃至図６は、一つの実施形態に係るテレビジョン受像機１を開示している。テレビジョン受像機１は、例えば据え付けて使用される電子機器の一例である。図１に示すように、テレビジョン受像機１は、例えばテレビ台Ｔの上に置いて使用される据え置きタイプであり、ディスプレイ本体２と、スタンド３とを有する。なお、テレビジョン受像機１は、例えば壁に据え付けられる壁掛けタイプや、その他の種類のものでもよい。
【０００９】
ディスプレイ本体２は、筐体４を有する。筐体４は、例えば扁平状に形成されるとともに、略鉛直に起立した姿勢でスタンド３に支持される。筐体４は、フロントベゼル５と、バックカバー（図示しない）とを有する。フロントベゼル５は、例えば、筐体４の前壁６と、周壁７の一部とを構成する。前壁６は、略鉛直に起立するとともに、ユーザーに向かい合う。
【００１０】
筐体４には、表示装置８が収容されている。表示装置８は、例えば液晶パネルであるが、これに限定されるものではない。表示装置８は、表示画面８ａを有する。表示画面８ａは、筐体４の前壁６の開口部６ａを通じて、外部に露出されている。
【００１１】
図１に示すように、筐体４は、第１乃至第４の端部１１，１２，１３，１４を有する。第１の端部１１は、筐体４の下端部であり、スタンド３の近くに位置している。第１の端部１１は、略水平方向に延びている。第２の端部１２は、筐体４の上端部であり、第１の端部１１とは反対側に位置し、第１の端部１１と略平行に延びている。第３及び第４の端部１３，１４は、筐体の左右の端部であり、略鉛直方向に延び、第１の端部１１と第２の端部１２との間を繋いでいる。
【００１２】
図１に示すように、複数のモジュール及び基板は、第１の端部１１に集中して実装されている。これにより、第２乃至第４の端部１２，１３，１４の額縁を、第１の端部１１の額縁に比べて細く、すっきりとした構造にすることができる。これはテレビジョン受像機１の小型化やデザイン性の向上に寄与する。
【００１３】
図１に示すように、第１の端部１１には、例えば第１及び第２のスピーカ２１，２２、ＬＥＤ／リモコン基板２３、第１及び第２の３Ｄ赤外線基板２４，２５、カメラモジュール２６、人感センサー２７、タッチセンサー２８が設けられている。
【００１４】
第１及び第２のスピーカ２１，２２及び人感センサー２７は、それぞれ「モジュール」の一例である。ＬＥＤ／リモコン基板２３、並びに第１及び第２の３Ｄ赤外線基板２４，２５は、それぞれ「基板」の一例である。なお図１では、説明の便宜上、筐体４の一部を切り取り、上記モジュール及び基板を露出させて図示している。
【００１５】
第１及び第２のスピーカ２１，２２は、第１の端部１１の左右の両端部近傍に分かれて配置されている。第１及び第２のスピーカ２１，２２は、例えば下方に向けて実装されている。
【００１６】
ＬＥＤ／リモコン基板２３は、リモコン操作の信号を受信する。ＬＥＤ／リモコン基板２３は、第１のスピーカ２１と、筐体４の中心線Ｃとの間に配置されている。なお中心線Ｃは、筐体４の水平方向の中心を、鉛直方向に横切る中心線である。ＬＥＤ／リモコン基板２３は、例えば中心線Ｃから所定の範囲内に配置されている。ＬＥＤ／リモコン基板２３が筐体４の中央近くに位置すると、筐体４に向けて使用されることが多いリモコンからの信号を受信しやすくなる。
【００１７】
本実施形態に係るテレビジョン受像機１は、立体的な映像を見ることができる３Ｄテレビである。３Ｄ赤外線基板２４，２５（いわゆる３Ｄ ＩＲ基板）は、ユーザーが装着したアクティブシャッターメガネに向けて制御信号を送り、３次元ディスプレイを実現する。
【００１８】
詳しく述べると、表示装置８の表示画面８ａには、例えば右目用の画像と左目用の画像とが高速で切り替えられて表示される。３Ｄ赤外線基板２４，２５は、表示画面８ａの画像の切り替えに同期して、ユーザーが装着したアクティブシャッターメガネに向けて、メガネの左目部分と右目部分とを交互に遮る信号を出す。これにより両目にはそれぞれ残像が残り、３次元ディスプレイが実現される。
【００１９】
第１及び第２の３Ｄ赤外線基板２４，２５が互いに近くに配置されると、視野角が狭くなり、例えばテレビの正面からずれた位置ではアクティブシャッターメガネが反応しにくくなる場合もある。そのため、２枚の３Ｄ赤外線基板２４，２５は、例えば所定間隔だけ互いに離して配置される。
【００２０】
第１の３Ｄ赤外線基板２４は、第１の端部１１の中央部に配置されている。本実施形態では、第１の３Ｄ赤外線基板２４の一部は、例えば中心線Ｃに重なる。第１の３Ｄ赤外線基板２４は、後述するカメラ３５よりも、第１の端部１１の中央近くに位置している。第２の３Ｄ赤外線基板２５は、中心線Ｃを間に挟んで、第１の３Ｄ赤外線基板２４とは反対側に配置されている。なお、３Ｄ赤外線基板２４，２５は、必ず複数設けられる必要は無く、例えば１枚だけ設けられてもよい。ただし、複数枚の３Ｄ赤外線基板２４，２５を設けると、３次元ディスプレイの視野角を広げることができる。
【００２１】
人感センサー２７は、カメラモジュール２６と、第２の３Ｄ赤外線基板２５との間に設けられている。人感センサー２７は、例えばケーブルまたはフレキシブルプリント基板でカメラモジュール２６に接続されている。タッチセンサー２８は、第２のスピーカ２２と重なる位置に設けられている。
【００２２】
カメラモジュール２６は、例えばユーザーの顔認証を行うためにユーザーの顔を撮影する。テレビジョン受像機１には、ユーザー認証モジュール３１と、制御モジュール３２とが設けられている。ユーザー認証モジュール３１は、カメラモジュール２６が撮影した画像の信号を受け取り、ユーザーの顔認証を行う。制御モジュール３２は、例えば、顔認証によって特定されてユーザーに向けて、該ユーザーの好みの画質や該ユーザーが録画予約した録画物を表示する。なお、ユーザー認証モジュール３１及び制御モジュール３２は、例えば筐体４に収容された回路基板３３によって実現される。回路基板３３は、「制御部」の一例である。
【００２３】
なお、カメラモジュール２６は、表示画面８ａに向かい合うユーザーの映像を収集することができる。カメラモジュールは、例えばＳｋｙｐｅ（登録商標）のビデオ通話（テレビ電話）のための映像を収集するものや、その他の用途に用いられるものでもよい。
【００２４】
図１に示すように、カメラモジュール２６は、第１の端部１１の中央に対して、該第１の端部１１の長手方向にずれた位置に設けられている。すなわち本実施形態では、カメラモジュール２６は、第１の端部１１の中央に対して、略水平方向にずれた位置に設けられている。具体的には、カメラモジュール２６は、第１の３Ｄ赤外線基板２４と第２の３Ｄ赤外線基板２５との間、さらに言えば、第１の３Ｄ赤外線基板２４と人感センサー２７との間に設けられている。
【００２５】
図３に示すように、カメラモジュール２６は、カメラ３５と、このカメラ３５が実装された基板３６（カメラ用基板）とを有する。カメラ３５及び基板３６は、筐体４の前壁６に対して傾斜して取り付けられている。カメラ３５及び基板３６は、カメラ３５の撮像方向Ｄを筐体４の中央側に傾けて実装されている。すなわち本実施形態では、カメラ３５は、撮像方向Ｄを上向きに傾けて実装されている。
【００２６】
具体的な実装構造について説明すると、図４に示すように、筐体４の前壁６は、第１及び第２のリブ４１，４２を有する。第１及び第２のリブ４１，４２は、それぞれ「支持部」の一例である。第１及び第２のリブ４１，４２は、筐体４の内面Ｓ１から基板３６の端部に向いて突出している。
【００２７】
基板３６は、第１及び第２の面３６ａ，３６ｂを有する。第１の面３６ａは、例えば前面であり、カメラ３５が取り付けられている。第２の面３６ｂは、例えば背面（後面）であり、第１の面３６ａとは反対側に位置する。また、基板３６は、第１及び第２の端部４５，４６を有する。第１の端部４５は、例えば上端部である。第２の端部４６は、例えば下端部であり、第１の端部４５とは反対側に位置する。
【００２８】
第１のリブ４１は、基板３６の第１の端部４５に対応して設けられ、基板３６の第１の端部４５を支持する。第１のリブ４１は、基板３６の第１の面３６ａを受ける第１の段差部４１ａを有する。第２のリブ４２は、基板３６の第２の端部４６に対応して設けられ、基板３６の第２の端部４６を支持する。第２のリブ４２は、基板３６の第１の面３６ａを受ける第２の段差部４２ａを有する。
【００２９】
図４に示すように、第２の段差部４２ａは、第１の段差部４１ａに比べて、筐体４の内面Ｓ１の近くに位置している。このため、第２の段差部４２ａに支持された基板３６の第２の端部４６は、第１の段差部４１ａに支持された基板３６の第１の端部４５に比べて前側に位置し、これによりカメラ３５及び基板３６が傾いた姿勢で支持されている。
【００３０】
図５に示すように、筐体４の前壁６は、第１及び第２のフック５１，５２を有する。第１のフック５１は、「第１の係合部」の一例である。第１のフック５１は、筐体４の内面Ｓ１から基板３６の第１の端部４５に向けて突出し、第１の端部４５を支持している。第２のフック５２は、「第２の係合部」の一例である。第２のフック５２は、筐体４の内面Ｓ１から基板３６の第２の端部４６に向いて突出し、第２の端部４６を支持している。
【００３１】
第１のフック５１は、筐体４の内面Ｓ１に繋がる基端部５１ａと、筐体４の内面Ｓ１とは反対側から基板３６の第１の端部４５の第２の面３６ｂに当接する第１の当接部５１ｂとを有する。すなわち、基板３６の第１の端部４５は、第１の当接部５１ｂと第１の段差部４１ａとの間に挟まれ、これにより第１の端部４５の位置が固定される。
【００３２】
同様に、第２のフック５２は、筐体４の内面Ｓ１に繋がる基端部５２ａと、筐体４の内面Ｓ１とは反対側から基板３６の第２の端部４６の第２の面３６ｂに当接する第２の当接部５２ｂとを有する。すなわち、基板３６の第２の端部４６は、第２の当接部５２ｂと第２の段差部４１ｂとの間に挟まれ、これにより第２の端部４６の位置が固定される。
【００３３】
第１及び第２のフック５１，５２は、例えばフロントベゼル５と一体にプラスチック材料で形成され、弾性変形可能である。基板３６は、例えば第１及び第２のフック５１，５２の外側から第１及び第２の当接部５１ｂ，５２ｂの内側に向けて押し込まれることで取り付けられる。
【００３４】
すなわち、基板３６の押し込みに伴い、第１及び第２のフック５１，５２が外側（図５中の上側と下側）に弾性変形し、第１の当接部５１ｂと第２の当接部５２ｂとの間に基板３６が通る空間が生じる。基板３６が第１の当接部５１ｂと第２の当接部５２ｂとの間を通り抜けると、第１及び第２のフック５１，５２は元の位置に弾性力で復帰する。これにより、第１及び第２の当接部５１ｂ，５２ｂが基板３６の第２の面３６ｂに当接する。
【００３５】
ここで、図５に示すように、第１の当接部５１ｂと筐体４の内面Ｓ１との間の距離Ｌ１は、第２の当接部５２ｂと筐体４の内面Ｓ１との間の距離Ｌ２よりも大きい。このため、第１のフック５１は、第２のフック５２に比べて弾性変形しやすい。換言すれば、第１の当接部５１ｂは、第２の当接部５２ｂに比べて、外側（すなわち２つのフック５１，５２の間の距離を広げる側）に移動しやすい。
【００３６】
図２に示すように、第１及び第２のリブ４１，４２は、折曲部４１ｂ，４２ｂを有する。折曲部４１ｂ，４２ｂは、カメラモジュール２６の長手方向の端部に当接し、カメラモジュール２６を側方から支持する。図６に示すように、筐体４は、カメラモジュール２６の長手方向の異なる端部に当接し、折曲部４１ｂ，４２ｂとは反対側からカメラモジュール２６を支持する第３のリブ５４を有する。カメラモジュール２６は、第１乃至第３のリブ４１，４２，５４に囲まれ、横方向の位置が定まる。
【００３７】
図３及び図６に示すように、筐体４の前壁６は、カメラ３５に対応した位置に、開口部６１を有する。カメラ３５の少なくとも一部（すなわち先端部）は、開口部６１に挿入され、前壁６の内面Ｓ１よりも外側（前側）に位置する。すなわち、カメラ３５の少なくとも一部は、前壁６の厚さｔの途中まで入り込んでいる。
【００３８】
図３に示すように、筐体４の前壁６には、シート６２が取り付けられる取付部６３を有する。取付部６３は、前壁６の表側の表面Ｓ２に対して、例えばシート６２の厚さに対応して窪んでいる。前壁６の厚さｔは、例えば２ｍｍ〜３ｍｍである。シート６２は、前壁６の厚さｔ（すなわち筐体４の肉厚）よりも薄い。シート６２の厚さは、例えば１ｍｍである。
【００３９】
シート６２は、取付部６３に取り付けられ、開口部６１を覆う。これにより、カメラ３５は、シート６２に覆われ、外部に直接露出されていない。シート６２は、光透過部６５（受光部）と、遮光部６６とを有する。光透過部６５は、カメラに対応した部分に設けられ、光透過性を有した窓部分である。カメラ３５は、光透過部６５を通して、外部を撮影可能である。遮光部６６は、カメラ３５に対応していない部分に設けられ、遮光性を有し、シート６２に覆われた部分を外部から隠す。
【００４０】
シート６２は、例えば透明な材料（例えばプラスチック材料）で形成された本体部
７１と、この本体部７１に設けられた遮光性の印刷７２（印刷層）とを有する。印刷７２は、シート６２においてカメラ３５に対応した部分を除いて設けられている。印刷７２は、例えばシート６２の裏面に設けられている。この印刷７２が設けられた部分が上記遮光部６６となり、印刷７２が設けられていない部分が上記光透過部６５となる。なお、印刷７２は、シート６２の表側の表面に設けられてもよい。印刷７２は、例えば黒色または銀色の印刷であるが、これに限定されるものではない。
【００４１】
このような構成によれば、基板のレイアウトの自由度の向上を図ることができる。  
例えば携帯電話のなかには、ケースの中央からずれた位置にカメラモジュールを備えたものもある。しかしながら、携帯電話は、通常、撮影時には手で保持され、任意の位置にカメラを自由に位置させたり、任意の方向にカメラを自由に傾けたりすることができる。このため、携帯電話のような携帯型電子機器においては、カメラの位置は重要でなく、カメラはどこに配置されても性能や使いやすさにほとんど影響を与えない。
【００４２】
一方で、テレビジョン受像機１のような据え付けタイプの電子機器では、カメラの位置を撮影時に自由に動かすことは困難で、カメラの位置は固定されている。そのため、多くの場合テレビジョン受像機の正面にユーザーが座ることを考えると、カメラは、筐体の下端部の中央に設けるべきと考えられる。
【００４３】
そこで比較のため、筐体４の第１の端部１１の中央にカメラモジュール２６を配置する構造を考える。この場合、カメラモジュール２６が、第１の端部１１の中央に位置するため、残りのスペースを有効活用しにくく、他の基板やモジュールのレイアウトの自由度が制限されてしまう。このため、数多くの基板やモジュールを実装しにくいとともに、実装した基板やモジュールであっても、視野角などを観点から最適な実装位置に配置できない可能性もある。このため、テレビジョン受像機１の性能の向上を図りにくい。
【００４４】
一方で、本実施形態の構成によれば、カメラ３５は、筐体４の端部１１の中央に対して該端部１１の長手方向にずれた位置に設けられている。すなわち、本実施形態のテレビジョン受像機１は、カメラ３５の位置を敢えて筐体４の端部１１の中央からずらすことで、筐体４内のスペースの有効利用が可能にしている。これにより、ＬＥＤ／リモコン基板２３に加え、２枚の３Ｄ赤外線基板２４，２５や人感センサー２７など、数多くの基板やモジュールが実装可能になるとともに、それら実装した基板やモジュールを、視野角などを観点から好ましい実装位置に配置することも可能になる。このため、テレビジョン受像機１の性能の向上を図りやすくなる。
【００４５】
また本実施形態では、カメラ３５は、撮像方向Ｄを上側に傾けて実装されている。このため、テレビジョン受像機１から少し離れた位置でユーザーが立ったときでも、そのユーザーの顔をカメラで撮影することが可能になる。このため、例えばユーザー認証機能やその他の機能を通じて、より幅広い機能をユーザーに対して提供することができる。
【００４６】
本実施形態では、カメラ３５が取り付けられた基板３６と、筐体４の内面Ｓ１から突出し、基板３６の第１の端部４５を支持した第１のフック５１と、筐体４の内面Ｓ１から突出し、基板３６の第２の端部４６を支持した第２のフック５２とを有する。このような構成によれば、比較的簡単な構成で、斜めに傾けられたカメラ３５を支持することができる。
【００４７】
本実施形態では、第１のフック５１は、筐体４の内面Ｓ１とは反対側から基板３６の第１の端部４５に当接した第１の当接部５１ｂを有する。第２のフック５２は、筐体４の内面Ｓ１とは反対側から基板３６の第２の端部４６に当接した第２の当接部５２ｂを有する。
【００４８】
ここで比較のため、前壁６に対して傾いていないカメラの実装構造を考える。この場合、筐体４の内面Ｓ１に近付けてカメラ３５を配置すると、第１及び第２のフック５１，５２の長さ（ストローク）がそれだけ短くなる。なお「フックの長さ」とは、ここでは筐体４の内面Ｓ１と当接部５１ｂ，５２ｂとの間の距離を指す。フック５１，５２の長さが短くなると、フック５１，５２が硬くなり（弾性変形しにくくなり）、外側に広がりにくくなる。そのため、カメラ３５をフック５１，５２の内側に取り付けにくくなる。
【００４９】
一方で、本実施形態では、傾けて実装されたカメラ３５の姿勢を利用し、第１のフック５１の長さを、第２のフック５２の長さよりも大きく確保している。すなわち、第１の当接部５１ｂと筐体４の内面Ｓ１との間の距離Ｌ１は、第２の当接部５２ｂと筐体４の内面Ｓ１との間の距離Ｌ２よりも大きい。この構成によれば、第１のフック５１が弾性変形しやすく、筐体４の内面Ｓ１に近付けてカメラ３５を配置する場合であっても、カメラ３５の取り付けやすさを向上させることができる。
【００５０】
また比較のため、図７を参照して、筐体４の内面Ｓ１に沿ってカメラ１０１を実装した構造について考える。この場合、図７に示すように、前壁６を構成するフロントベゼル１０２は、一般的には成形品であるので、ある程度の厚さｔを有する。そのためカメラ１０１は、少なくとも前壁６の厚さｔだけ、外部に対して筐体４の内側に奥まって位置する。
【００５１】
ここで、カメラ１０１の視野角Ａは放射状の広がりを持つため、カメラ１０１の視野角Ａを確保するためには、前壁６の窓部１０３は、比較的大きな幅Ｗ２（例えば直径）を必要とする。幅Ｗ２が大きな窓部１０３が前壁６に設けられると、この窓部１０３が前壁６のなかで目立ち、テレビジョン受像機のデザイン性を低下させてしまう。
【００５２】
一方で、本実施形態では、図６に示すように、カメラ３５の少なくとも一部は、筐体４の開口部６１に挿入され、筐体４の内面Ｓ１よりも外側（前側）に位置している。このため、カメラ３５の視野角Ａを確保するための光透過部６５（窓部）の幅Ｗ１（例えば直径）を、図７の構造に比べて小さくすることができる。このため、光透過部６５が前壁６のなかで目立ちにくくなり、テレビジョン受像機１のデザイン性を向上させることができる。
【００５３】
また、カメラ３５の少なくとも一部が、筐体４の開口部６１に挿入され、筐体４の内面Ｓ１よりも外側（前側）に位置していると、カメラ３５の背後にスペースを確保しやすく、テレビジョン受像機１の高密度実装を実現することができる。
【００５４】
本実施形態では、開口部６１を覆うシート６２をさらに備えている。これにより、筐体４の開口部６１に挿入されたカメラ３５がシート６２に覆われ、外部から目立ちにくくなる。これはテレビジョン受像機１のデザイン性の向上に寄与する。また、前壁６よりも薄いシート６２であれば、それだけカメラ３５を筐体４の外側に近付けて配置することができ、光透過部６５が小さくてもカメラ３５の視野角Ａを確保することができる。
【００５５】
本実施形態では、シート６２は、カメラ３５に対応した部分に光透過性を有するとともに、カメラ３５に対応していない部分に遮光性を有する。これにより、カメラ３５に対応していない部分を外部から隠すことができ、テレビジョン受像機１のデザイン性を向上させることができる。
【００５６】
本実施形態では、シート６２は、透明であるとともに、カメラ３５に対応した部分を除いて遮光性の印刷７２を有する。この構成によれば、比較的簡単な構成で、光透過部６５と遮光部６６とを有したシート６２を得ることができる。
【００５７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００５８】
例えば、カメラ３５の実装構造は、リブ４１，４２及びフック５１，５２を用いたものに限らず、その他の構造であってもよい。また、シート６２は、省略することも可能である。
【００５９】
次に、いくつかの電子機器について付記する。  
一つの形態に係るテレビジョン受像機は、筐体と、前記筐体に収容された表示装置と、前記筐体の端部の中央に対して該端部の長手方向にずれた位置に設けられたカメラとを備える。
【００６０】
一つの形態に係るテレビジョン受像機は、筐体と、前記筐体に収容された表示装置と、前記筐体の端部に設けられ、撮像方向を該筐体の中央側に傾けて実装されたカメラとを備える。
【００６１】
一つの形態に係る電子機器は、開口部が設けられた筐体と、前記開口部に挿入され、前記筐体の内面よりも外側に位置した部分を有したカメラとを備える。この電子機器の一例は、テレビジョン受像機である。
【符号の説明】
【００６２】
Ｄ…撮像方向、Ｓ１…内面、１…テレビジョン受像機、４…筐体、８…表示装置、１１…端部、２４，２５…３Ｄ赤外線基板、２６…カメラモジュール、３５…カメラ、３６…基板、４５…第１の端部、４６…第２の端部、５１…第１のフック、５１ｂ…第１の当接部、５２…第２のフック、５２ｂ…第２の当接部、６１…開口部、６２…シート、６５…光透過部、６６…遮光部、７２…印刷。
【図１】
2012257162.tif 000003
【図２】
2012257162.tif 000004
【図３】
2012257162.tif 000005
【図４】
2012257162.tif 000006
【図５】
2012257162.tif 000007
【図６】
2012257162.tif 000008
【図７】
2012257162.tif 000009
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
開口部が設けられた壁を有した筐体と、
前記筐体に収容された表示装置と、
前記筐体に収容された基板と、
前記壁に対して撮像方向を傾けて前記筐体内に設けられ、少なくとも一部が前記開口部に挿入され、前記壁の内面よりも外側に位置した部分を含むカメラと、
前記壁の厚さよりも薄く、前記壁の外面に取り付けられて前記開口部を覆うシートと、
を備えたテレビジョン受像機。
【請求項２】
請求項１の記載において、
前記壁の外面は、前記シートの厚さに対応した深さの凹部が設けられ、
前記シートは、前記凹部に取り付けられ、前記シートの表面は、前記筐体の表面と略同一平面上に位置したテレビジョン受像機。
【請求項３】
請求項１または請求項２の記載において、
前記開口部は、前記壁に対して斜めに設けられ、
前記シートは、前記壁と略平行に取り付けられて前記開口部を覆うテレビジョン受像機。
【請求項４】
請求項３の記載において、
前記シートは、前記開口部の外形よりも小さな透光部を有したテレビジョン受像機。
【請求項５】
請求項１または請求項４の記載において、
前記カメラよりも前記基板は、前記筐体の下端部の中央近くに位置したテレビジョン受像機。
【請求項６】
請求項１または請求項５の記載において、
第１の端部と、該第１の端部とは反対側に位置した第２の端部とを有し、前記カメラが取り付けられたカメラ用基板と、
前記筐体の内面から突出し、前記カメラ用基板の第１の端部を支持した第１の係合部と、
前記筐体の内面から突出し、前記カメラ用基板の第２の端部を支持した第２の係合部と、
をさらに備えたテレビジョン受像機。
【請求項７】
請求項６の記載において、
前記第１の係合部は、前記筐体の内面とは反対側から前記カメラ用基板の第１の端部に当接した第１の当接部を有し、前記第２の係合部は、前記筐体の内面とは反対側から前記カメラ用基板の第２の端部に当接した第２の当接部を有し、前記第１の係合部及び前記第２の係合部は、それぞれ弾性変形可能であり、
前記第１の当接部と前記筐体の内面との間の距離は、前記第２の当接部と前記筐体の内面との間の距離よりも大きいテレビジョン受像機。
【請求項８】
請求項１または請求項７の記載において、
前記シートは、前記カメラに対応した部分に光透過性を有するとともに、前記カメラに対応していない部分に遮光性を有したテレビジョン受像機。
【請求項９】
請求項１または請求項８の記載において、
前記シートは、透明であるとともに、前記カメラに対応した部分を除いて遮光性の印刷を有したテレビジョン受像機。
【請求項１０】
筐体と、
前記筐体に収容された表示装置と、
前記筐体に収容された基板と、
前記筐体の内面に対して撮像方向を傾けて実装されたカメラと、
第１の端部と、該第１の端部とは反対側に位置した第２の端部とを有し、前記カメラが取り付けられたカメラ用基板と、
前記筐体の内面から突出し、前記カメラ用基板の第１の端部を支持した第１の係合部と、
前記筐体の内面から突出し、前記カメラ用基板の第２の端部を支持した第２の係合部と、
を備え、
前記第１の係合部は、前記筐体の内面とは反対側から前記カメラ用基板の第１の端部に当接した第１の当接部を有し、前記第２の係合部は、前記筐体の内面とは反対側から前記カメラ用基板の第２の端部に当接した第２の当接部を有し、前記第１の係合部及び前記第２の係合部は、それぞれ弾性変形可能であり、
前記第１の当接部と前記筐体の内面との間の距離は、前記第２の当接部と前記筐体の内面との間の距離よりも大きいテレビジョン受像機。
【手続補正２】
【補正対象書類名】明細書
【補正対象項目名】０００６
【補正方法】変更
【補正の内容】
【０００６】
実施形態によれば、テレビジョン受像機は、開口部が設けられた壁を有した筐体と、前記筐体に収容された表示装置と、前記筐体に収容された基板と、前記壁に対して撮像方向を傾けて前記筐体内に設けられ、少なくとも一部が前記開口部に挿入され、前記壁の内面よりも外側に位置した部分を含むカメラと、前記壁の厚さよりも薄く、前記壁の外面に取り付けられて前記開口部を覆うシートとを備える。
【手続補正３】
【補正対象書類名】明細書
【補正対象項目名】００６１
【補正方法】変更
【補正の内容】
【００６１】
一つの形態に係る電子機器は、開口部が設けられた筐体と、前記開口部に挿入され、前記筐体の内面よりも外側に位置した部分を有したカメラとを備える。この電子機器の一例は、テレビジョン受像機である。
以下に、いくつかのテレビジョン受像機について付記する。
［１］、筐体と、前記筐体に収容された表示装置と、前記筐体の下端部に収容された基板と、前記筐体の下端部の中央に対して略水平方向にずれた位置に設けられ、撮像方向を上向きに傾けて実装されたカメラと、を備えたテレビジョン受像機。
［２］、［１］の記載において、前記カメラよりも前記基板は、前記筐体の下端部の中央近くに位置したテレビジョン受像機。
［３］、［１］または［２］の記載において、前記カメラが取り付けられたカメラ用基板と、前記筐体の内面から突出し、前記カメラ用基板の上端部を支持した第１の係合部と、前記筐体の内面から突出し、前記カメラ用基板の下端部を支持した第２の係合部と、をさらに備えたテレビジョン受像機。
［４］、［３］の記載において、前記第１の係合部は、前記筐体の内面とは反対側から前記カメラ用基板の上端部に当接した第１の当接部を有し、前記第２の係合部は、前記筐体の内面とは反対側から前記カメラ用基板の下端部に当接した第２の当接部を有し、前記第１の係合部及び前記第２の係合部は、それぞれ弾性変形可能であり、前記第１の当接部と前記筐体の内面との間の距離は、前記第２の当接部と前記筐体の内面との間の距離よりも大きいテレビジョン受像機。
［５］、［１］または［４］の記載において、前記筐体は、開口部が設けられ、前記カメラの少なくとも一部は、前記開口部に挿入され、前記筐体の内面よりも外側に位置したテレビジョン受像機。
［６］、［５］の記載において、前記筐体の肉厚よりも薄く、前記開口部を覆うシートをさらに備えたテレビジョン受像機。
［７］、［６］の記載において、前記シートは、前記カメラに対応した部分に光透過性を有するとともに、前記カメラに対応していない部分に遮光性を有したテレビジョン受像機。
［８］、［６］または［７］の記載において、前記シートは、透明であるとともに、前記カメラに対応した部分を除いて遮光性の印刷を有したテレビジョン受像機。
［９］、筐体と、前記筐体に収容された表示装置と、前記筐体の端部の中央に対して該端部の長手方向にずれた位置に設けられたカメラと、を備えたテレビジョン受像機。
［１０］、筐体と、前記筐体に収容された表示装置と、前記筐体の端部に設けられ、撮像方向を該筐体の中央側に傾けて実装されたカメラと、を備えたテレビジョン受像機。